(57)【要約】【課題】  燃料電池の動作情報を外部に伝送し、安全性を高めたガス保安メーターを提供すること。【解決手段】  電源である燃料電池１と、燃料電池の動作検出とガス流量検出を行う制御部２と、燃料電池の動作検出の情報とガス流量検出の情報を伝送する通信部３を備え、本来はガス流量の計量情報を伝送する通信部３を共用して利用する。これによって、燃料電池１の動作情報を外部に伝送し、燃料電池１の動作状況が容易に外部から確認できるので安全性をより高めることができる。【選択図】  図１
2005085470.tif 000002
【特許請求の範囲】
【請求項１】
電源である燃料電池と、前記燃料電池の動作検出とガス流量検出を行う制御部と、前記燃料電池の動作検出の情報と前記ガス流量検出の情報とを伝送する通信部を備えたガス保安メーター。
【請求項２】
通信部は、燃料電池の動作検出の情報とガス流量検出の情報をひとつの通信電文として伝送する請求項１記載のガス保安メーター。
【請求項３】
制御部は、燃料電池の動作異常検出時に、通信部から情報を伝送する請求項１記載のガス保安メーター。
【請求項４】
制御部は、燃料電池の動作異常検出時に、通信部から情報を伝送完了したことの表示手段を備えた請求項３記載のガス保安メーター。
【請求項５】
燃料電池に蓄電手段を備えた請求項１記載のガス保安メーター。
【請求項６】
蓄電手段の残存容量を表す表示手段を備えた請求項５記載のガス保安メーター。
【発明の詳細な説明】
【技術分野】
【０００１】
本発明は、ガス保安機能を有するガス保安メーターに関するものである。
【背景技術】
【０００２】
従来、この種のガス保安メーターはガス流量検出した情報を主に伝送するものであった（例えば、非特許文献１参照）。図４は、従来のガス保安メーターを示すものである。図４において、２はガス流量検出を行う制御部、３はガス流量検出した情報を伝送する通信部である。
【非特許文献１】社団法人  日本ガス協著「業務用マイコンメーター（３０〜１２０号）技術資料」、平成７年１０月
【発明の開示】
【発明が解決しようとする課題】
【０００３】
しかしながら、前記従来の構成では、燃料電池を動作電源として使用しないので、電源構成が簡潔であり、動作状況を詳細に外部から監視する必要がなく、ガス保安メーターの有する通信構成では、電源である燃料電池の詳細な動作状況を確認ができる手段がないという課題を有していた。
【０００４】
本発明は、前記従来の課題を解決するもので、ガスメーターがガス流量の計量情報を伝送する通信部から、燃料電池の動作情報を外部に伝送し、安全性を高めたガス保安メーターを提供することを目的とする。
【課題を解決するための手段】
【０００５】
前記従来の課題を解決するために、本発明のガス保安メーターは、ガス流量の計量情報を伝送する通信部から、燃料電池の動作情報を外部に伝送するようにしたものである。これによって、燃料電池の動作状況が容易に外部から確認でき、安全性をより高めることができる。
【発明の効果】
【０００６】
以上のように、本発明によれば、ガス流量の計量情報を伝送する通信部から、燃料電池の動作情報を外部に伝送することにより、燃料電池の動作状況が容易に外部から確認でき、安全性をより高めることができる。
【発明を実施するための最良の形態】
【０００７】
請求項１に記載の発明は、ガスメーターがガス流量の計量情報を伝送する通信部から、燃料電池の動作情報を外部に伝送することにより、燃料電池の動作状況が容易に外部から確認でき、安全性を高めることができる。
【０００８】
請求項２記載の発明は、特に、請求項１に記載の通信部の電文を、燃料電池の動作検出した情報とガス流量検出した情報をひとつの通信電文として伝送することにより、通信回数を減らし、通信部を省電力化することができる。
【０００９】
請求項３記載の発明は、特に、請求項１に記載の燃料電池の動作検出した情報とガス流量検出した情報が一体となった通信電文構成を活用し、万が一燃料電池が故障した場合には、その時点のガス流量検出の情報もあわせて伝送できるため、ガスメーター正常動作時におけるガス流量の計量の最終情報を確認することができる。
【００１０】
請求項４記載の発明は、特に、請求項３に記載の燃料電池の動作異常検出時の通信履歴を表示できるため、ガスメーターにて通信部が正常に動作しているか確認することができる。
【００１１】
請求項５記載の発明は、特に、請求項１に記載の燃料電池に蓄電機能を付加することにより、万が一燃料電池が故障した場合でもガス保安メーターが通信することができるため、敏速な故障対応が可能となる。
【００１２】
請求項６記載の発明は、特に、請求項５に記載の蓄電機能の残存容量がわかるため、ガスメーターが動作継続できる時間的余裕を確認することができる。
【００１３】
以下、本発明の具体的な実施の形態について、図を参照しながら説明する。
【００１４】
（実施の形態１）
図１は、本発明の実施の形態１におけるガス保安メーターを示すものである。図１において、１はガス保安メーターに内蔵されガスメーターの動作電源となる燃料電池であり、蓄電手段５を備えている。２は燃料電池の動作検出とガス流量検出を行う制御部であり、表示手段４を備えている。３は燃料電池の動作検出した情報とガス流量検出した情報をひとつの通信電文として伝送する通信部である。
【００１５】
以上のように構成されたガス保安メーターについて、図２に示した一体構成の電文例及び図３に示した燃料電池の異常検出時の作動フローチャートを用いて以下にその動作、作用を説明する。
【００１６】
まず、ガス保安メーターの制御部２は、常に燃料電池１の動作状況を監視しており、燃料電池の動作異常が発生した場合は（作動フローチャート中の６）、その動作情報を最新のガス流量の計量情報（作動フローチャート中の７）とあわせて一体構成の電文として通信部３から伝送し（作動フローチャート中の８）、あわせて表示手段４に、通信の完了を表示する。これにより通信回数を減らし、通信部の省電力化を図りながら、燃料電池の動作情報を外部に伝送することにより、燃料電池の動作状況が容易に外部から確認でき、安全性を高めることができ、また燃料電池に異常が発生した時点のガス流量検出の情報もあわせて伝送できるため、ガスメーターが正常動作時のガス流量の計量の最終情報を確認することができる。
【００１７】
また、燃料電池１は正常動作時には、そのバックアップ電源である蓄電手段５に常にチャージを行い、その充電結果は制御部２が常にチェックし、表示手段４に表示をおこなっており、動作異常時に、その出力が停止した場合は、通信のための電源供給をおこなう。これにより燃料電池が故障し、出力が停止した場合でもバックアップ電源によりガス保安メーターが通信することができるため、敏速な故障対応が可能となる。
【００１８】
以上のように、本実施の形態においてはガス流量の計量情報を伝送する通信部から、燃料電池の動作情報を外部に伝送することにより、燃料電池の動作状況が容易に外部から確認でき、安全性をより高めることができる。
【産業上の利用可能性】
【００１９】
本発明に係るガス遮断装置は、通信部を有し、安全性の観点から燃料電池の動作状況が外部から確認する必要があるような技術分野の用途にも適用できる。
【図面の簡単な説明】
【００２０】
【図１】本発明の実施の形態におけるガス保安メーターの構成図
【図２】同ガス保安メーターの通信電文の一例を示す図
【図３】同ガス保安メーターの燃料電池の異常検出時の作動フローチャート
【図４】従来のガス保安メーターの構成図
【符号の説明】
【００２１】
１  燃料電池
２  制御部
３  通信部
４  表示手段
５  蓄電手段
【図１】
2005085470.tif 000003
【図２】
2005085470.tif 000004
【図３】
2005085470.tif 000005
【図４】
2005085470.tif 000006